(57)【特許請求の範囲】
【請求項１】
土壌面を滑走しながら均平するフロート（２）と、該フロート（２）で均平された土壌面に苗を植え付ける植付装置（５）を有する多条植形態の苗植装置（６）を、車体（９）の後部にリフトリンク（１１）を介して装着し、前記フロート（２）の前側に土壌面を掻き均す代掻ロータ（１２）を設けた苗移植機において、
前記フロート（２）は、前記苗植装置（６）の苗植幅方向の中央部に配置するセンタフロート（２Ｃ）と、該センタフロート（２Ｃ）の左右両側に配置するサイドフロート（２Ｓ）で構成し、
前記代掻ロータ（１２）は、前記センタフロート（２Ｃ）の前側に配置するセンタロータ（１２Ｃ）と、前記サイドフロート（２Ｓ）の前側に各々配置するサイドロータ（１２Ｓ）で構成し、
前記車体（９）のリヤアクスルハウジング（１４）と前記サイドロータ（１２Ｓ）を装着するサイドロータ軸（１６）の間にロータ連動軸（１５）を設け、
前記植付装置（５）の一部の伝動を入切する畦際クラッチレバー（１３）を設け、該畦際クラッチレバー（１３）の操作に連動して左右一側のサイドロータ（１２Ｓ）の伝動回転速を変速する変速機構（１７）を、前記ロータ連動軸（１５）と左右一側のサイドロータ（１２Ｓ）の間に設けたことを特徴とする苗移植機。
【請求項２】
前記変速機構（１７）は、前記ロータ連動軸（１５）から伝動される入力軸（１８）に設ける普通速駆動スプロケット（４８）と高速駆動スプロケット（４９）と、前記左右一側のサイドロータ（１２Ｓ）のサイドロータ軸（１６）に設ける普通速従動スプロケット（５１）と高速従動スプロケット（５２）と、前記普通速駆動スプロケット（４８）と普通速従動スプロケット（５１）に無端状に巻回する普通速チェン（５３）と、前記高速駆動スプロケット（４９）と高速従動スプロケット（５２）に無端状に巻回する高速チェン（５４）と、前記普通速駆動スプロケット（４８）または高速駆動スプロケット（４９）に噛合して左右一側のサイドロータ（１２Ｓ）の回転速度を変速する切替シフタ（４７）と、該切替シフタ（４７）を切替操作するシフタアーム（５５）を設けて構成すると共に、
該シフタアーム（５５）と前記畦際クラッチレバー（１３）をワイヤー（５６）で連結し、該畦際クラッチレバー（１３）の入切操作に合わせてシフタアーム（５５）が操作されることを特徴とする請求項１に記載の苗移植機。
【請求項３】
前記左右のサイドロータ（１２Ｓ）のサイドロータ軸（１６）の外周にギア機構（６２）を各々設け、該ギア機構（６２）によって前記左右のサイドロータ（１２Ｓ）とは逆方向に回転する波消ロータ（６０）を左右のサイドロータ（１２Ｓ）の回転内周部に設けたことを特徴とする請求項１または２記載の苗移植機。
【発明の詳細な説明】
【技術分野】
【０００１】
この発明は、苗移植機の畦際代掻装置に関し、畦際の苗植付土壌面を代掻して苗植付状態を均一化させるものである。
【背景技術】
【０００２】
苗植装置の底部にセンタフロートと、この左右両側にサイドフロートを配置して、植付装置によって苗植するための土壌面を滑走均平し、この各センタフロート、及びサイドフロートの前側にはセンタロータ、及びサイドロータ等の代掻ロータを配置して、各フロートで均平する土壌面を、これらの各代掻ロータによって予め代掻均平化する技術（たとえば、特許文献１参照）が知られている。
【先行技術文献】
【特許文献】
【０００３】
【特許文献１】特開２００８−２２８７０５（第１頁、図１）。
【発明の概要】
【発明が解決しようとする課題】
【０００４】
苗移植機で圃場の畦際に沿って進行しながら苗を植付ける畦際土壌での植付作業するとき、土壌面や耕盤面等に凹凸変化や、深さ変化が大きく、かつ多いため、他の部分と同じ条件で整地、代掻作業を行っても、苗植付土壌面を平面状に均平整地することが難しい。
【０００５】
特に多条植形態の苗植装置にあっては、苗植付条幅全域に亘って同時にフロートで均平され、代掻ロータで代掻されるものであるから、この苗植付条幅のうち畦際域の数条幅の土壌面を、特殊な方法によって畦際土壌面の状態に応じた代掻を行わせることが困難であった。
【０００６】
そこで、この発明は、各フロートの前側には代掻ロータを配置する形態を採用して、簡単な構成の追加によって畦際土壌面の代掻作用を他の部分と同様に掻き均して、各フロートによる苗植付土壌面を水平状に均平するものである。
【課題を解決するための手段】
【０００７】
請求項１に記載の発明は、土壌面を滑走しながら均平するフロート（２）と、該フロート（２）で均平された土壌面に苗を植え付ける植付装置（５）を有する多条植形態の苗植装置（６）を、車体（９）の後部にリフトリンク（１１）を介して装着し、前記フロート（２）の前側に土壌面を掻き均す代掻ロータ（１２）を設けた苗移植機において、前記フロート（２）は、前記苗植装置（６）の苗植幅方向の中央部に配置するセンタフロート（２Ｃ）と、該センタフロート（２Ｃ）の左右両側に配置するサイドフロート（２Ｓ）で構成し、前記代掻ロータ（１２）は、前記センタフロート（２Ｃ）の前側に配置するセンタロータ（１２Ｃ）と、前記サイドフロート（２Ｓ）の前側に各々配置するサイドロータ（１２Ｓ）で構成し、前記車体（９）のリヤアクスルハウジング（１４）と前記サイドロータ（１２Ｓ）を装着するサイドロータ軸（１６）の間にロータ連動軸（１５）を設け、前記植付装置（５）の一部の伝動を入切する畦際クラッチレバー（１３）を設け、該畦際クラッチレバー（１３）の操作に連動して左右一側のサイドロータ（１２Ｓ）の伝動回転速を変速する変速機構（１７）を、前記ロータ連動軸（１５）と左右一側のサイドロータ（１２Ｓ）の間に設けたことを特徴とする苗移植機とする。
【０００８】
圃場における植付作業において、苗植付条の幅を合わせるために、畦際クラッチレバー（１３）を操作して一部の植付装置（５）の植付伝動を停止させた状態で植付作業を行うことがある。
【０００９】
該畦際クラッチレバー（１３）を切操作すると、一部の植付装置（５）の伝動クラッチを切操作すると共に、畦際植付条域（Ａ）を整地する左右一側のサイドロータ（１２Ｓ）の伝動回転速を変速する。このとき、畦際植付条域（Ａ）を整地する左右一側のサイドロータ（１２Ｓ）の回転は、他の植付条域（Ｂ）に位置する左右他側のサイドロータ（１２Ｓ）の伝動回転速よりも高速で回転駆動される。
【００１０】
逆に、畦際クラッチレバー（１３）を入操作すると、一部の植付装置（５）の伝動クラッチを入操作すると共に、畦際植付条域（Ａ）を整地する左右一側のサイドロータ（１２Ｓ）は、他の植付条域（Ｂ）に位置する左右他側のサイドロータ（１２Ｓ）と同じ速度で回転駆動される。
これにより、この畦際植付条域（Ａ）の土壌面と他の植付条域（Ｂ）の土壌面と略同一面状にして掻き均し、フロート（２）による均平面を畦際に亘って水平状に正確に成形することにより、整然とした苗植付姿勢を維持させるものである。
【００１１】
さらに、苗植装置（６）のセンタフロート（２Ｃ）の前側にセンタロータ（１２Ｃ）を設け、各サイドフロート（２Ｓ）の前側にはサイドロータ（１２Ｓ）を各々設けることにより、各フロート（２Ｃ，２Ｓ）による均平作用を行い易くすることができる。
左右一側のサイドロータ（１２Ｓ）への駆動力は、リヤアクスルハウジング（１３）から後方に向けて設けるロータ連動軸（１５）からサイドロータ軸（１６）に伝動されると共に、入力軸（１５）と左右一側のサイドロータ（１２Ｓ）の間に設ける変速機構（１７）に伝動される。
そして、畦際植付条域（Ａ）の植付作業を行うとき、畦際クラッチレバー（１３）を操作することによって、苗植装置（６）の一部の植付装置（５）の伝動クラッチが切操作されて苗植付作動を停止されると共に、この変速機構（１７）が高速側に切替えられる。
これにより、左右一側のサイドロータ（１２Ｓ）で土壌面の凹凸面を均平化すると共に、土塊を細かく砕くことができるので、サイドフロート（２Ｓ）による均平作用が向上する。
【００１２】
請求項２に記載の発明は、前記変速機構（１７）は、前記ロータ連動軸（１５）から伝動される入力軸（１８）に設ける普通速駆動スプロケット（４８）と高速駆動スプロケット（４９）と、前記左右一側のサイドロータ（１２Ｓ）のサイドロータ軸（１６）に設ける普通速従動スプロケット（５１）と高速従動スプロケット（５２）と、前記普通速駆動スプロケット（４８）と普通速従動スプロケット（５１）に無端状に巻回する普通速チェン（５３）と、前記高速駆動スプロケット（４９）と高速従動スプロケット（５２）に無端状に巻回する高速チェン（５４）と、前記普通速駆動スプロケット（４８）または高速駆動スプロケット（４９）に噛合して左右一側のサイドロータ（１２Ｓ）の回転速度を変速する切替シフタ（４７）と、該切替シフタ（４７）を切替操作するシフタアーム（５５）を設けて構成すると共に、該シフタアーム（５５）と前記畦際クラッチレバー（１３）をワイヤー（５６）で連結し、該畦際クラッチレバー（１３）の入切操作に合わせてシフタアーム（５５）が操作されることを特徴とする請求項１に記載の苗移植機とする。
【００１３】
（削除）
【００１４】
（削除）
【００１５】
（削除）
【００１６】
（削除）
【００１７】
請求項３に記載の発明は、前記左右のサイドロータ（１２Ｓ）のサイドロータ軸（１６）の外周にギア機構（６２）を各々設け、該ギア機構（６２）によって前記左右のサイドロータ（１２Ｓ）とは逆方向に回転する波消ロータ（６０）を左右のサイドロータ（１２Ｓ）の回転内周部に設けたことを特徴とする請求項１または２記載の苗移植機とする。
【００１８】
植付作業を行う際、左右のサイドロータ（１２Ｓ）の回転内周部に設ける波消ロータ（６０）がギア機構（６２）によって逆回転することにより、左右のサイドロータ（１２Ｓ）の回転によって発生する泥土の波が打ち消され、発生した泥土の波による植付苗の流失や泥被りが防止される。
【００１９】
（削除）
【００２０】
（削除）
【００２１】
（削除）
【発明の効果】
【００２２】
請求項１記載の発明は、畦際クラッチレバー（１３）の操作に連動して変速機構（１７）が左右一側のサイドロータ（１２Ｓ）の回転速度を変更することにより、畦際植付作業時の操作が簡略化されるため、操作性が向上すると共に作業能率が向上する。
【００２３】
また、畦際クラッチレバー（１３）を切操作すると、畦際植付条域（Ａ）を整地する左右一側のサイドロータ（１２Ｓ）の回転駆動を、他の植付条域（Ｂ）を整地する左右他側のサイドロータ（１２Ｓ）の回転駆動よりも高速回転とすることにより、畦際植付条域（Ａ）と他の植付条域（Ｂ）を均等に（←？）整地することができるので、苗の植付精度が向上する。
【００２４】
請求項２に記載の発明は、請求項１に記載の発明の効果に加えて、切替シフタ（４７）を切替操作するシフタアーム（５５）と畦際クラッチレバー（１３）をワイヤー（５６）で連結したことにより、畦際クラッチレバー（１３）を切操作すると左右一側のサイドロータ（１２Ｓ）の回転速度を高速側に変更することができると共に、畦際クラッチレバー（１３）を入操作すると左右一側のサイドロータ（１２Ｓ）の回転速度を普通速側に変更することができる。
【００２５】
（削除）
【００２６】
請求項３に記載の発明は、請求項１または２に記載の発明の効果に加えて、波消ロータ（６０）が左右のサイドロータ（１２Ｓ）の回転内周部で逆回転することにより、左右のサイドロータ（１２Ｓ）が発生させた泥土の波を打ち消すことができるので、発生した泥土の波による植付苗の流失や泥被りが防止され、苗の植付精度が向上する。
【００２７】
（削除）
【図面の簡単な説明】
【００２８】
【図１】苗移植機の側面図
【図２】苗移植機の平面図
【図３】苗移植機の代掻ロータの変速機構部の平面図
【図４】苗移植機のサイドロータ部の側面図
【図５】（ａ）別実施例の代掻ロータの平面断面図、（ｂ）別実施例の代掻ロータの側面図
【図６】（ａ）別実施例の代掻ロータの平面断面図、（ｂ）別実施例の代掻ロータの側面図
【発明を実施するための形態】
【００２９】
図面に基づいて、車体９は、ステアリングポスト２０上のステアリングハンドル２１の操作で操向連動する前輪７と、運転席２２後部下のリヤアクスルハウジング１４に軸装２３の後輪８を配置して、前記運転席２２下のエンジンカバー２４内に搭載のエンジン２５によって伝動回転して走行する乗用四輪走行形態のトラクタを構成し、この車体９の後側に、リフトシリンダ１０の伸縮によって上下回動されるリフトリンク１１を介して、苗植装置６を装着している。
【００３０】
前記エンジン２５の駆動によって、前部ミッションケース２６上の油圧無断変速装置２７を駆動し、このミッションケース２６内の伝動ギヤ等の伝動機構を経て、フロントアクスルハウジング２８の左右両端部に操向可能に軸装の前輪７を伝動駆動する。
【００３１】
このミッションケース２７の後側には、左右の後輪８を軸装２３するリヤアクスルハウジング１４内の伝動機構へ連動する後輪連動軸３０と、ＰＴＯ軸３１を設け、このＰＴＯ軸３１によって前記苗植装置６の入力軸３３や、車体９後部のリヤフレーム３２上に搭載の施肥装置３４等を伝動する構成である。車体９上側の運転フロア３５や、運転席２２の左右両側にはサイドステップ３６を設け、運転席２２の後側にはリヤステップ３７を設けて、作業者の足踏フロアとして苗補給作業や、肥料補給作業等を行い易く構成している。
【００３２】
リフトリンク１１は平行リンク形態で、後端のヒッチリンク３８部にローリング軸３９を設けて、このローリング軸３９の周りに苗植付フレーム１がローリング自在の状態に連結される。苗植付フレーム１は苗タンク４を左右横方向へ往復移動したり、このタンク底面に設ける繰出ベルト４０を間歇的駆動したり、植付装置５を昇降駆動するなどの各伝動機構を内装した伝動ケースを構成主体とするもので、底部をセンタフロート２Ｃ、及び左右のサイドフロート２Ｓ等からなるフロート２の後部上に支持させている。
【００３３】
そして、苗植付フレーム１は、各フロート２幅の中央部上方に位置して伝動ケースを後方へ分岐突出する形態で、この分岐した各伝動ケースの後端部の左右両側部に植付装置５を構成し、先端の苗植付爪部を側面視で楕円形状の苗植軌跡線Ｄを描いて昇降させるように、ダブルクラン機構の形態に構成している。そして、前記センタフロート２Ｃによって滑走均平される土壌面に、この各植付装置５は左右二条の植付けを行い、サイドフロート２Ｓには一条の植付けを行うもので、合計四条植形態に構成している。
【００３４】
また、苗植付フレーム１の後部上側には、左右横方向にわたってガイドレール４１を設け、このガイドレール４１の上面に四条植幅分の苗タンク４の後下り傾斜の後下端面を案内させて、左右横方向へ一タンク幅相当間隔を往復移動させる。このガイドレール４１の前端部には各苗タンク４の横幅毎に一ケ所の苗取口３が形成されて、前記植付装置５の先端の苗植付爪部を上方位置から下方位置へ作動介入させて、この各四ケ所の苗取口３に繰出されている苗を各々分離保持して、下方の土壌面へ四条植形態に植付け作動させるものである。
【００３５】
前記センタフロート２Ｃは土壌面を滑走均平しながら大きく上下揺動することによって、リフトシリンダ１０の油圧回路の制御弁を切替えて、リフトリンク１１を介して苗植装置６を各フロート２と共に昇降制御し、このフロート２による均平位置が一定位置になるようにピッチング（昇降）制御するもので、土壌の深さ変動に拘らず苗植付深さを略一定に維持するものである。
【００３６】
また、車体９や苗植装置６が左右方向へ大きく傾斜するときも、これを傾斜センサで検出して苗植装置６を車体９、乃至リフトリンク１１側に対して、ローリング軸３９の周りにローリング制御させて、左右植付条における苗植付深さや、苗植付姿勢が一定に揃うように植付制御させる形態としている。
【００３７】
前記センタフロート２Ｃ、及びサイドフロート２Ｓの前側の苗植付フレーム１に取り付けられる代掻フレーム５７に代掻ロータ１２を配置して、この代掻ロータ１２を前記リフトシリンダ１０の伸縮によって苗植装置６と一体的に昇降可能に構成している。
【００３８】
そして、苗植付フレーム１を支持して土壌面を滑走しながら均平するフロート２と前記苗植付フレーム１に対して左右横方向へ往復移動しながらタンク面に載置されるマット苗を苗取口３部へ繰出す苗タンク４と、この苗取口３の苗を分離保持して前記フロート２で均平された土壌面に植付ける植付装置５と等を有する多条植形態の苗植装置６を、前輪７及び後輪８を有した四輪走行形態の車体９の後部に、リフトシリンダ１０の伸縮によって昇降のリフトリンク１１を介して装着し、前記各フロート２の前側には、伝動回転によって土壌面を掻き均す代掻ロータ１２を配置する多条植形態の苗移植機において、この畦際代掻装置は、畦際クラッチレバー１３の操作で一部の苗植付条域の植付装置５の伝動を停止した状態で畦際植付行程を苗植すると共に、前記代掻ロータ１２のうち畦際植付条域Ａの代掻ロータ１２Ａの伝動回転速を、他の植付条域Ｂの代掻ロータ１２Ｂの伝動回転速に対して変速可能に設ける。
【００３９】
圃場における植付作業において、最終直前の行程で苗移植機を畦際に沿わせて推進走行させながら、畦際植付条域Ａの苗植作動させる。この畦際植付条域Ａの苗植行程では、苗植付条合せを行うために、畦際クラッチレバー１３の操作で、一部植付条域Ｃ（畦際植付条域Ａと反対側に位置する土壌面であって、この側のサイドロータ１２Ｓ、及びサイドフロート２Ｓが通って、代掻き、及び滑走均平する土壌面幅域）の植付装置５の植付伝動を停止した状態で植付作業を行う。
【００４０】
この畦際クラッチレバー１３の操作では、この一部植付条域Ｃの植付装置５の伝動クラッチが切り操作されると共に、畦際植付条域Ａを推進される代掻ロータ１２Ａの伝動回転速が変速される。この変速を高速側へ変速する場合は、この代掻ロータ１２Ａの回転が、他の植付条域Ｂに位置する代掻ロータ１２Ｂの伝動回転速よりも高速回転に駆動されるから、代掻土壌面が盛り上り易くなる。また、逆に減速側へ変速する場合は、この代掻ロータ１２Ａの回転が、低速回転に駆動されて、土壌面の巻上げや、盛り上りが少くなる。従って、補助における畦際土壌面の形態や、植付作業前行程における整地作業形態等によって、この苗移植機の代掻ロータ１２Ａの変速仕様を、高速側変速とするか、または低速側変速とするかを設定しておくか、更には、植付作業を行う圃場毎に高速側へ変速するか、低速側へ変速するかを切替選択操作しながら、前記畦際クラッチレバー１３の操作で連動して、この代掻ロータ１２Ａの変速を行わせる形態とすることもできる。
【００４１】
さらに、前記代掻ロータ１２は、前記フロート２のうち苗植幅方向の中央部に位置するセンタフロート２Ｃの前側に配置のセンタロータ１２Ｃと、このセンタフロート２Ｃの左右両側に配置のサイドフロート２Ｓの前側に配置のサイドロータ１２Ｓとからなり、車体９のリヤアクスルハウジング１４部から後方へ出力連動されるロータ連動軸１５を経て、前記サイドロータ１２Ｓを軸装するサイドロータ軸１６との間に変速機構１７を構成する入力軸１８へ連動する。
【００４２】
そして、苗植装置６のセンタフロート２Ｃの前側にはセンタフロート１２Ｃが配置され、各サイドフロート２Ｓの前側にはサイドロータ１２Ｓが配置されて、各々土壌面を代掻きして、各フロート２Ｃ、２Ｓによる均作用を行い易くする。これら代掻ロータ１２の伝動は、車体９のリヤアクスルハウジング１３部から後方へ取出されるロータ連動軸１４を経て、このロータ連動軸１４と同側のサイドロータ１２Ｓの入力軸１５へ伝動し、これら入力軸１５とサイドロータ１２Ｓの間に設ける変速機構１６の変速によって、サイドロータ１２Ｓを高速または低速に変速しながら伝動回転する。
【００４３】
従って、植付作業において、前記畦際植付条域Ａの植付作業を行うとき、畦際クラッチレバー１３を操作することによって、苗植装置６の一部の植付装置５の伝動クラッチが切り操作されて苗植付作動を停止されると共に、この変速機構１６が高速、又は低速に切替えられる。このようにして畦際植付条域Ａの土壌面を変速された伝動回転のサイドロータ１２Ｓによって代掻きして、大きい凹凸面を均平化し、土塊を細砕して、サイドフロート２Ｓによる均平作用を行い易くする。
【００４４】
また、前記畦際植付条域Ａの代掻ロータ１２Ａの伝動回転を、逆回転伝動に切替可能に設ける。
上記サイドロータ１２Ｓを畦際植付条域Ａの代掻ロータ１２Ａとして利用する場合に、この代掻ロータ１２Ａを前記畦際クラッチレバー１３の操作に連動して、このサイドロータ１２Ｓを逆回転伝動に切替えて回転させ、畦際植付条域Ａの土壌面を代掻きする。このサイドロータ１２Ｓの逆回転によって代掻作用が行われる状態では、回転による土壌巻上作用力が弱く、後側のサイドフロート２Ｓ上面に泥土を持上げることが防止される。
【００４５】
前記代掻ロータ１２の伝動構成は、センタフロート２Ｃの前側に配置のセンタロータ１２Ｃと、左右両側のサイドフロート２Ｓの前側に配置のサイドロータ１２Ｓとの間に、ロータ伝動ケース４３を設け、センタロータ１２Ｃのロータ軸４２の前端部を、このロータ伝動ケース４３の前端部に軸受けし、サイドロータ１２Ｓの内側端部のスペーサケース４４に軸受した入力軸１８の内端部を、このロータ伝動ケース４３の後端外側部に軸受けする。これらロータ伝動ケース４３の前後のロータ軸４２と入力軸１８との間をチエン４５掛けして伝動回転の構成とする。前記各ロータ伝動ケース４３の後端外側部に構成される左右スペーサケース４４には、前方のリヤアクスルハウジング１４から取出されるロータ連動軸１５の後端の端部軸４５が軸受されて、ベベルギヤ４６を噛合させて、入力軸１８を伝動回転するように構成する。
【００４６】
また、この入力軸１８上のベベルギヤ４６の外側部には変速機構１７を設ける。切替シフタ４７によって入力軸１８に沿う方向へ移動させて、この移動側のスプロケット４８、又は９に噛合して伝動を入り切りするドッグクラッチ形態の変速メタル５０を有し、これらスプロケット４８、４９と対抗するサイドロータ軸１６の内端部には異径スプロケット５１、５２を設けて、これら相対向するスプロケット４８、４９と、５１、５２との間にチエン５３、５４を掛け渡して、変速可能に伝動する構成である。この変速メタル５０により、内側のスプロケット４８、５１間に掛け渡したチエン５３で、サイドロータ１２Ｓを普通速で伝動回転するものとすると、外側のスプロケット４９、５２に掛け渡したチエン５４で、サイドロータ１２Ｓを高速度で伝動回転することができる。
【００４７】
上記サイドロータ１２Ｓを普通速回転と高速回転とに切替えるための切替シフタ４７のシフタアーム５５には、畦際クラッチレバー１３によって操作されるワイヤー５６が連結されて、この畦際クラッチレバー１３の操作と連動して、前記変速機構１７の変速メタル５０が切替えられる。
【００４８】
前記畦際クラッチレバー１３は、運転席２２の右手側サイドステップ３６の後端傾斜面部に設けている。この畦際クラッチレバー１３は左右一対配置して、左右のサイドフロート２Ｓによって均平される土壌面に苗を植付ける側部植付条の植付装置５を伝動するための植付伝動装置に畦際クラッチを設けて、畦際に沿って植付作業するときは、この畦際に沿う側とは反対側に位置する側部植付条装置５の畦際クラッチを切りにして植付停止状態とし、前記畦際側の植付装置５と、センタフロート２Ｃによる均平面に植付ける植付装置５とを伝動した状態で畦際植付条域Ａの植付作業を行うもので、前記畦際クラッチレバー１３は、左右外側部の苗植付しない側の左右各植付装置５の畦際クラッチ位置と対向して配置している。
【００４９】
従って、前記畦際植付条域Ａを植付作業する場合に、変速機構１７を連動操作して高速回転に切替える植付伝動装置位置は、この畦際側に沿う畦際植付条域Ａに苗を植付ける植付装置５の変速機構１７、及びこの変速シフタ４７を切替えるものであるから、前記左側の畦際クラッチレバー１３は、右側のサイドロータ１２Ｓの変速シフタ４７と連結し、又、右側の畦際クラッチレバー１３は、左側のサイドロータ１２Ｓの変速シフタ４７と連結する構成としている。
【００５０】
このため、左端側の植付装置（一条）５の畦際クラッチを伝動切りにして植付停止状態とし、右端側の植付装置５を畦際に沿わせて植付作業を行わせる畦際植付条域Ａの作業では、左側の畦際クラッチレバー１３を操作して、この左端一条分の植付装置５の苗植を停止し、右端畦際側のサイドロータ１２Ｓの回転速を、左側サイドロータ１２Ｓや、センタロータ１２Ｃの回転速よりも高速回転に切り替える。
【００５１】
前記図例の変速機構１７は、畦際植付条域土壌面を代掻きするサイドロータ１２Ｓの回転を普通速から高速側へ切替変速するように構成したものであるが、これを逆に低速側へ切替変速できるように構成することもできる。
【００５２】
さらには、普通速から高速、又は低速側へ切替連動するように構成して、この切替方向を、作業者が畦際土壌面の状態に応じて手動で切替選択操作して、この選択操作のもとに前記畦際クラッチレバー１３の操作による変速連動を行わせるように構成することもできる。又、これらサイドロータ１２Ｓの正回転方向における回転を高速、又は低速機切替可能とする形態に加えて、逆回転方向に切替える形態とすることもできる。
【００５３】
また、前記サイドフロート２Ｓや、サイドロータ１２Ｓは、最外側の単一条の植付条幅の形態として、この植付条の畦際クラッチを切りにしたり、畦際植付条域の代掻作業を行う構成としたが、これら畦際クラッチ、及び畦際代掻の対象を二条植、又は三条植等の形態とすることもできる。
【００５４】
さらに、図５、図６のように、前記サイドロータ１２Ｓの回転内周部に、このサイドロータ軸１６の周りに回転自在、又はセンタロータ１２Ｃとは異なる回転の抵抗ロータ１９を設けることも可能である。
【００５５】
前記のように畦際植付条域Ａの植付作業を行うとき、この畦際植付条域Ａの土壌面をサイドロータ１２Ｓの回転によって代掻きするが、このサイドロータ１２Ｓの回転内部の抵抗ロータ１９の回転によって、サイドロータ１２Ｓの回転によって発生する泥土流の波動を消波して、畦際土壌面を静かに代掻きする。
【００５６】
回転外周部を翼車形態に形成した前記代掻ロータ１２の回転内周部に、波消ロータ６０を設けたもので、代掻作用によって発生する泥流波を低減させるものである。この波消ロータ６０は、外周の代掻ロータ１２と相似形に形成して、回転径を小径に構成するが、ロータ軸１６、４２の周りにベアリング６１を介して回転自在に軸受したり（図５参照）、遊星ギヤ機構６２を介して回転させる構成（図６参照）することができる。
【符号の説明】
【００５７】
２    フロート
２Ｃ    センタフロート
２Ｓ    サイドフロート
５    植付装置
６    苗植装置
９    車体
１２    代掻ロータ
１２Ｃ    センタロータ
１２Ｓ    サイドロータ
１３    畦際クラッチレバー
１４    リヤアクルハウジング
１５    ロータ連動軸
１６    サイドロータ軸
１７    変速機構
６０ 波消ロータ
６２ 遊星ギア機構（ギア機構）
Ａ    畦際植付条域
Ｂ    他の植付条域
【図１】
0005793862.tif 000002
【図２】
0005793862.tif 000003
【図３】
0005793862.tif 000004
【図４】
0005793862.tif 000005
【図５】
0005793862.tif 000006
【図６】
0005793862.tif 000007